(57)【特許請求の範囲】
【請求項１】
車両のダッシュボード下方の前方壁面とそれに連なるフロア面の凹部とにわたって配置して、座席に座った搭乗者が足を載せて楽な姿勢を保たせるためのフットレストであって、
フロア面の凹部に対応する衝撃吸収部と、ダッシュボードの下方の前方壁面に対応する足載せ部と、その間を繋いでいる屈曲部とを有して一体に構成されており、
フットレストは、中空二重壁構造であって、衝撃吸収部の表壁には、車両の進行方向と交差する方向に多数の第１のスリット状リブを有しており、足載せ部の表壁と衝撃吸収部の表壁の前端には、車両の進行方向に多数の第２のスリット状リブを有していることを特徴とする車両用フットレスト。
【請求項２】
フットレストは、衝撃吸収部の裏壁と足載せ部の裏壁には多数の点状リブを有していることを特徴とする請求項１記載の車両用フットレスト。
【請求項３】
フットレストは、衝撃吸収部の前端部を屈曲部として、足載せ部を前記屈曲部から斜め上方に立ち上がった形状に衝撃吸収部と一体に形成して成ることを特徴とする請求項１または２記載の車両用フットレスト。
【発明の詳細な説明】
【技術分野】
【０００１】
本発明は、車両のダッシュボード下方の前方壁面とそれに連なるフロア面の凹部とにわたって配置して、座席に座った搭乗者が足を載せて楽な姿勢を保たせるとともに、ダッシュボード下方の前方壁が強い衝撃を受けた際に搭乗者の足を保護するための車両用フットレストに関するものである。
【背景技術】
【０００２】
従来、車両用フットレストとしては種々のものが知られている。そして、搭乗者が足を載せて楽な姿勢を保たせるとともにダッシュボード下方の前方壁が強い衝撃を受けた際の搭乗者の足を保護する構成のものとしては、例えば、特開２００２−１４４９４０公報および特許第３６９５２６７号公報に記載されている。
【特許文献１】特開２００２−１４４９４０公報
【特許文献２】特許第３６９５２６７号公報
【発明の開示】
【発明が解決しようとする課題】
【０００３】
ところで、前掲の特許文献１および特許文献２に記載されている車両用フットレストは、ある程度の衝撃を吸収できる緩衝体であるから、車両のダッシュボードの前方壁が強い衝撃を受けた際の緩衝性により、搭乗者の足を保護する効果をある程度は期待できるものである。
【０００４】
しかしながら、車両のダッシュボードの前方壁がさらに強い衝撃を受けた際などには、フットレストが後方に移動してしまい、それに載せていた足首をくじいてしまう損傷事故を起こすおそれがある（特許文献１の図１、特許文献２の図１参照）。
【０００５】
そこで、本発明は、フットレストをフロア面の凹部に対応する衝撃吸収部と、ダッシュボードの下方の前方壁面に対応する足載せ部と、その間を繋いでいる屈曲部とを有して一体に構成したものとすることにより、車両のダッシュボード下方の前方壁に強い衝撃が加わった場合には、足載せ部が屈曲部から折れ曲がることなく衝撃吸収部が車両前後方向に押し潰されるようにして、搭乗者の脚に対して足および足首が無理に屈曲するのを防止し、搭乗者の高度な安全性を期待することができる車両用フットレストを提供することを目的とするものである。
【課題を解決するための手段】
【０００６】
上記目的を達成するため本発明は請求項１ないし３に係る車両用フットレストを提供する。すなわち、請求項１に係る車両用フットレストは、車両のダッシュボード下方の前方壁面とそれに連なるフロア面の凹部とにわたって配置して、座席に座った搭乗者が足を載せて楽な姿勢を保たせるためのフットレストであって、フロア面の凹部に対応する衝撃吸収部と、ダッシュボードの下方の前方壁面に対応する足載せ部と、その間を繋いでいる屈曲部とを有して一体に構成されており、フットレストは、中空二重壁構造であって、衝撃吸収部の表壁には、車両の進行方向と交差する方向に多数の第１のスリット状リブを有しており、足載せ部の表壁と衝撃吸収部の表壁の前端には、車両の進行方向に多数の第２のスリット状リブを有していることを特徴とするものである。
【０００７】
また、請求項２に係る車両用フットレストは、請求項１の構成において、フットレストは、衝撃吸収部の裏壁と足載せ部の裏壁には多数の点状リブを有していることを特徴とするものである。
【０００８】
さらに、請求項３に係る車両用フットレストは、請求項１または２の構成において、フットレストは、衝撃吸収部の前端部を屈曲部として、足載せ部を前記屈曲部から斜め上方に立ち上がった形状に衝撃吸収部と一体に形成して成ることを特徴とするものである。
【発明の効果】
【０００９】
本発明の車両用フットレストによれば、フットレストをフロア面の凹部に対応する衝撃吸収部と、ダッシュボードの下方の前方壁面に対応する足載せ部と、その間を繋いでいる屈曲部とを有して一体に構成されているので、車両のダッシュボード下方の前方壁に強い衝撃が加わった場合には、足載せ部が屈曲部から折れ曲がることなく衝撃吸収部が車両前後方向に押し潰されるようにして、搭乗者の脚に対して足および足首が無理に屈曲するのを防止し、搭乗者の高度な安全性を期待することができるものである。
【発明を実施するための最良の形態】
【００１０】
図１は本発明の一実施の形態に係る車両用フットレストを示す全体斜視図、図２は裏面から見た全体斜視図、図３は図１のＡ−Ａ断面図、図４は一部の詳細斜視図、図５は全体平面図、図６は同上裏面図、図７は使用態様を示す一部の側面図である。
【００１１】
図１ないし図６において、１はフットレストである。このフットレスト１は、図７に示すように、車両２のダッシュボード３の下方の前方壁面４とそれに連なるフロア面５の凹部６とにわたって配置して使用するものである。
【００１２】
前記フットレスト１は、フロア面５の凹部６に対応する衝撃吸収部７と、ダッシュボード３の下方の前方壁面４に対応する足載せ部８と、その間を繋いでいる屈曲部９とを有して一体に構成されている。
【００１３】
前記フットレスト１は、中空二重壁構造であって衝撃吸収部７の表壁と、足載せ部８の表壁には互いに交差する方向に多数のスリット状リブ１０、１１を有しており、図示の態様では、衝撃吸収部７の表壁には横方向にスリット状リブ１０が、足載せ部８には縦方向にスリット状リブ１１が互いに直交するように形成されている。なお、スリット状リブ１０を縦方向に、スリット状リブ１１を横方向に形成することもできる。スリット状リブ１０、１１はその幅が３〜１０mmとするのが好適である。スリット状リブ１０、１１の幅が３mm以下はリブを形成するのが難しく、また１０mmを越えると靴のヒールの踵部が入り込み易くなったり、床部に敷いたカーペット等に皺が寄ったりするなどの不具合が生じるので好ましくない。
【００１４】
フットレスト１は、衝撃吸収部７の前端部を屈曲部９として、足載せ部８を前記屈曲部９から斜め上方に立ち上がった形状に衝撃吸収部７と一体に形成して成り、その衝撃吸収部７をフロア面５の凹部６に嵌め込み、かつ足載せ部８をダッシュボード３の下方の前方壁面４に接した状態で必要に応じて固定する。衝撃吸収部７にはその裏壁と足載せ部８の裏壁には多数の点状リブ１２、１３を有している。屈曲部９およびそれに繋がる衝撃吸収部７の前端部は、点状リブなどの補強手段を施していない単なる中空部を成しており、他の部分より強度の低い脆弱部を構成するとよい。このため屈曲部９付近は必要に応じて壁厚を薄く形成することもある。
【００１５】
車両２の座席１４に着座した搭乗者１５は、その足１６をフットレスト１の足乗せ部８に載せて楽な姿勢を保つことができる。フットレスト１の足載せ部８の左側で上方に膨出した部分１７は搭乗者１５は左足のつま先が当たる部分である。衝撃吸収部７の左側凹部１８はフロアに敷いたカーペットを止め具を通すために形成されているものである。
【００１６】
本発明に係るフットレスト１は、ＡＢＳ樹脂、変性ポリフェニレンオキサイド系樹脂、ポリカーボネート樹脂、ポリアミド樹脂、ポリスチレン樹脂、ポリエチレン樹脂、ポリプロピレン樹脂等の熱可塑性樹脂で構成される。
【００１７】
本発明に係るフットレスト１によれば、略平坦な衝撃吸収部７の前方に屈曲部９を介して斜め上方に立ち上がった足載せ部８を一体に形成してあるとともに、足載せ部８のスリット状リブ１１は、足載せ部８と衝撃吸収部７の前端にわたって車両２の進行方向に複数形成され、衝撃吸収部７のスリットリブ１０は車両２の進行方向と交差する方向に複数形成されているので、車両２のダッシュボード３の下方の前方壁面４に強い衝撃が加わった場合には、足１６を載せている足載せ部８が屈曲部９から折れ曲がることなく衝撃吸収部７が車両の前後方向に押し潰されるように変形して、そのような場合でも搭乗者１５の脚に対して足１６および足首が無理に屈曲するのが防止され、搭乗者１５の高度な安全性を確保することができる。
【図面の簡単な説明】
【００１８】
【図１】本発明の一実施の形態に係る車両用フットレストを示す全体斜視図である。
【図２】同上裏面から見た全体斜視図である。
【図３】図１のＡ−Ａ断面図である。
【図４】本発明の一実施の形態に係る車両用フットレストを示す一部の詳細斜視図である。
【図５】本発明の一実施の形態に係る車両用フットレストを示す全体平面図である。
【図６】同上裏面図である。
【図７】本発明の一実施の形態に係る車両用フットレストの使用態様を示す一部の側面図である。
【符号の説明】
【００１９】
１  フットレスト
２  車両
３  ダッシュボード
４  前方壁面
５  フロア面
６  凹部
７  衝撃吸収部
８  足載せ部
９  屈曲部
１０、１１  スリット状リブ
１２、１３  点状リブ
１４  座席
１５  搭乗者
１６  足
１７  膨出した部分
１８  カーペットを止め具を通すための凹部
【図１】
0005133618.tif 000002
【図２】
0005133618.tif 000003
【図３】
0005133618.tif 000004
【図４】
0005133618.tif 000005
【図５】
0005133618.tif 000006
【図６】
0005133618.tif 000007
【図７】
0005133618.tif 000008